(57)【要約】【課題】パーソナルコンピュータ（ＰＣ）などに記憶したサービスデータを、利用者に負担をかけず通信端末装置に出力すること。【解決手段】利用者は通信端末装置１００を操作して、ＰＣ２００に対しＰＣ２００が提供可能なデータのアドレスと認証情報との送信を要求する。ＰＣ２００はその画像表示部２０７に、該当通信端末装置１００に対し提供可能なデータのアドレスと認証情報とをＱＲコードで、複数組を表示する。利用者の操作により通信端末装置１００は、ＱＲコードを撮像し認識し、データのアドレスと認証情報とを取得し、ＰＣ２００に利用者所望データの送信を要求する。これにより、通信端末装置１００の利用者は、提供を受けたいサービスのデータのアドレスと認証情報をマニュアルで入力することなく取得し、ＰＣ２００から認証制御されているデータを簡便、確実に取得する。【選択図】図１
2007286913.tif 000002
【特許請求の範囲】
【請求項１】
提供を受けるサービスに関するサービスデータのアドレス情報並びに認証情報を示す画像情報の表示を要求するアドレス・認証情報表示要求手段と、
前記画像情報を撮像して、アドレスおよび認証情報を抽出するアドレス・認証情報抽出手段と、
前記アドレス・認証情報抽出手段が抽出したアドレス情報および認証情報を出力して、サービスの提供を要求するサービス提供要求手段と、
を具備する通信端末装置。
【請求項２】
請求項１に記載のアドレス・認証情報表示要求手段が出力する要求を受けて、前記アドレス情報並びに認証情報を示す画像情報を表示画面に表示するアドレス・認証情報表示手段と、請求項１記載のサービス提供要求手段が出力する要求を受けて、サービスデータを出力するサービスデータ出力手段と、を具備するサービス提供システム。
【請求項３】
請求項１に記載のアドレス・認証情報表示要求手段が出力する要求を受ける毎に、前記表示画面への表示する画像情報を一時的にのみ生成するアドレス・認証情報表示生成手段を具備し、前記アドレス・認証情報表示手段は前記アドレス・認証情報表示生成手段が生成する画像情報を表示する請求項２記載のサービス提供システム。
【発明の詳細な説明】
【技術分野】
【０００１】
本発明は、ネットワーク上の記憶装置からデータを受信する通信端末装置に関する。
【背景技術】
【０００２】
従来、通信端末装置を用いてパーソナルコンピュータからデータをダウンロードするシステムにおいて、データに関連するアドレス情報や認証情報の入力を簡略化するためバーコードを利用することが提案されている（例えば、特許文献１参照）。
【０００３】
特許文献１においては通信端末装置に、商品情報やサービス情報を受信する受信部を設けると共に受信した情報に基づいたバーコードを形成するバーコード形成部を設け、バーコード形成部により形成したバーコードを表示部に表示し、このバーコードを店舗側装置に設けられたバーコード読取装置で読み取ることで電子商取引を行うようにしている。
【特許文献１】特開２００２−２７１２８１号公報
【発明の開示】
【発明が解決しようとする課題】
【０００４】
しかしながら、特許文献１に開示された従来の電子商取引システムの場合、通信端末装置の画面にバーコードを表示し、バーコードは電子商取引を開始するための認証情報を示すために使用しているだけである。したがって、バーコードで表示するデータを受信するためには、使用者がデータのアドレスを入力する必要があり、とくに、固有のアドレスへアクセスするためには長いアドレスをマニュアルで入力する必要があった。
【０００５】
また、従来の携帯端末の場合、受信したいデータを多くのデータ中から選択し、そのデータとアドレスとの対応を確認するためには、使用者側で多くの操作が必要であり、アドレスの入力でも誤りが生じやすいという問題があった。
【０００６】
本発明はかかる点に鑑みてなされたものであって、ネットワーク上のデータを、受信する場合に認証を簡便にすると同時にデータの選択を簡便にし、データのアドレスなどの入力時に起こりやすい誤りをなくすことを目的とする。
【課題を解決するための手段】
【０００７】
かかる課題を解決するため本発明の通信端末装置は、提供を受けるサービスに関するサービスデータのアドレス情報並びに認証情報を示す画像情報の表示を要求するアドレス・認証情報表示要求手段と、前記画像情報を撮像して、アドレスおよび認証情報を抽出するアドレス・認証情報抽出手段と、前記アドレス・認証情報抽出手段が抽出したアドレス情報および認証情報を出力して、サービスの提供を要求するサービス提供要求手段と、を具備する構成を採る。
【発明の効果】
【０００８】
本発明によれば、ネットワーク上のデータを、受信する場合に認証を簡便にすると同時にデータの選択を簡便にし、利用者がデータのアドレスなどの入力時に起こりやすい誤りをなくすことができる。
【発明を実施するための最良の形態】
【０００９】
以下、本発明の実施の形態について図面を参照して詳細に説明する。
【００１０】
（実施の形態１）
図１は、本発明の実施の形態１に係る通信端末装置１００の構成を示すブロック図である。利用者は、通信端末装置１００を利用して、ネットワーク上のデータを入手する。
【００１１】
通信端末装置１００は、制御部１０１と、ＷＬＡＮインタフェース部１０２と、Ｗ−ＣＤＭＡインタフェース部１０３と、画像取り込み部１０４と、ＱＲコード認識部１０５と、認証制御部１０６と、接続制御部１０７と、データ保持部１０８とから主に構成される。
【００１２】
制御部１０１は、通信端末装置１００の全体の制御を行う。ＷＬＡＮインタフェース部１０２は、無線ＬＡＮに通信端末装置１００を接続する。Ｗ−ＣＤＭＡインタフェース部１０３は、通信端末装置１００を携帯電話回線に接続する。これによって、通信端末装置１００は、無線ＬＡＮ、携帯電話回線のいずれからも外部のネットワークに接続できる。
【００１３】
画像取り込み部１０４は、通信端末装置１００のカメラ撮像部を含み、本実施の形態においては、ＱＲコードを撮像し、撮像結果を、制御部１０１の制御に基づきＱＲコード認識部１０５に出力する。ＱＲコード認識部１０５は、入力したＱＲコードの内容を認識し、認識結果を認証制御部１０６および接続制御部１０７に出力する。
【００１４】
認証制御部１０６は、認証結果を保持する。認証制御部１０６が記憶した認証結果は、通信端末装置１００が、ＷＬＡＮインタフェース部１０２またはＷ−ＣＤＭＡインタフェース部１０３を介して外部のネットワーク上の例えばパーソナルコンピュータ（以下、ＰＣという。）にアクセスした際、そのアクセスを許可若しくは不許可とするアクセス制御で使用される。
【００１５】
接続制御部１０７は、入力した認証結果に基づきＷＬＡＮインタフェース部１０２あるいはＷ−ＣＤＭＡインタフェース部１０３を介して通信端末装置１００を外部のネットワークに接続し、ネットワーク上のデータを受信し、データ保持部１０８に出力する。データ保持部１０８は、入力したデータを記憶する。
【００１６】
図２は、本発明の実施の形態１に係るＰＣ２００の構成を示すブロック図である。
【００１７】
ＰＣ２００は、制御部２０１と、ネットワークインタフェース部２０２と、データ保持部２０３と、認証制御部２０４と、接続制御部２０５と、ＱＲコード生成部２０６と、画像表示部２０７とから主に構成される。
【００１８】
制御部２０１は、ＰＣ２００の全体の制御を行う。ネットワークインタフェース部２０２は、本実施の形態の場合図２のＰＣ２００をネットワークに接続する。
【００１９】
データ保持部２０３は、通信端末装置が要求するデータを、アドレス毎に記憶する。
【００２０】
認証制御部２０４は、データ保持部２０３が記憶する各データの認証情報を記憶する。ここで、認証情報とは、データにアクセスするために必要な情報をいう。また、認証制御部２０４は、入力した認証情報に基づきデータ保持部２０３をアクセスして取得したデータを接続制御部２０５に出力する。
【００２１】
接続制御部２０５は、データ保持部２０３のデータのアドレスと、該当データの認証情報をＱＲコード生成部２０６に出力する。また、接続制御部２０５は、認証制御部２０４からデータ保持部２０３のデータを入力すると、該当データを外部に送信するため制御部２０１に出力する。
【００２２】
ＱＲコード生成部２０６は、接続制御部２０５から入力したアドレスと認証情報を内容とするＱＲコードを生成し、制御部２０１に出力する。制御部２０１は、ＱＲコード生成部２０６が生成したＱＲコードを、ファイル名など関連情報とともに、画像表示部２０７に出力する。
【００２３】
画像表示部２０７は、制御部２０１からのＱＲコードなどを入力し、表示する。図３に、画像表示部２０７の表示の一例を示す。画像表示部２０７は、その画面の左側にＱＲコードを表示し、対応してその右側にファイル名およびディレクトリ名を表示する。
【００２４】
ここで、図４を用いて、ＱＲコードを表示する仕組みを説明する。通信端末装置が受信を要求するデータは、図２のデータ保持部２０３のユーザ情報ディレクトリ４０１に記憶されている。ユーザ情報ディレクトリ４０１の各ディレクトリに記憶されたデータのアドレスおよび認証情報４０２を含むＱＲコード４０３が生成されると、図３に示した画像表示部２０７の画面左側に表示される。
【００２５】
図５は、本実施の形態に係るサービス提供システム５００の構成を示す模式図である。サービス提供システム５００は、通信端末装置１００と、ＰＣ２００と、ネットワーク５０１とからなっている。通信端末装置１００は、図１に示した通信端末装置である。ＰＣ２００は、図２に示したＰＣである。通信端末装置１００とＰＣ２００は、ネットワーク５０１で接続される。５０２は、ＰＣ２００の表示部の表示内容を拡大して示すもので、内容的には、図３に示したものと同一である。
【００２６】
次に、図５を中心として、図１ないし４を用いて本実施の形態に係るサービス提供システムの動作を説明する。
【００２７】
図５において、利用者が通信端末装置１００を操作して、ネットワーク５０１に対しデータの受信要求を出力すると、ＰＣ２００の表示部５０２にＱＲコードなどが表示される。
【００２８】
具体的には、利用者がデータの受信を要する操作すると、通信端末装置１００は、図１のＷＬＡＮインタフェース部１０２若しくはＷ−ＣＤＭＡインタフェース部１０３を介して、ネットワーク５０１に接続する。これによって、通信端末装置１００は、図２のネットワークインタフェース部２０２によって、ＰＣ２００に接続される。
【００２９】
これに対応して図２のＰＣ２００の接続制御部２０５は、データ保持部２０３のデータのアドレスと、該当データの認証情報をＱＲコード生成部２０６に出力し、ＱＲコード生成部２０６は生成したＱＲコードを制御部２０１に出力する。
【００３０】
これに対応して、制御部２０１は、ＱＲコード生成部２０６が生成したＱＲコードとファイル名などとを、画像表示部２０７に出力し、画像表示部２０７には図３に示すように、ＱＲコードなどが表示される。
【００３１】
次に利用者は、ファイル名（図３ではファイル１から４）あるいはディレクトリ名（同様にディレクトリ１から４）を参考にして、自己が受信要求するデータを選定し、該当するＱＲコードを、通信端末装置１００の画像取り込み部１０４で撮像し、ＱＲコードが示すデータを取得する。
【００３２】
具体的には、画像取り込み部１０４で撮像したＱＲコードを認証制御部１０６に出力する。認証制御部１０６は、ＱＲコードに含まれたアドレスと認証情報とを抽出し、接続制御部１０７に出力する。
【００３３】
接続制御部１０７は、入力したアドレスおよび認証情報を、ＷＬＡＮインタフェース部１０２あるいはＷ−ＣＤＭＡインタフェース部１０３を介して、ネットワーク５０１に出力する。ネットワーク５０１に出力されたアドレス及び認証情報は、ＰＣ２００にて受信される。これによって、通信端末装置１００のデータ送信要求がＰＣ２００にて受信される。
【００３４】
これに伴いＰＣ２００は、入力したアドレスに基づき通信端末装置１００が要求するデータの送信を開始する。具体的には、ＰＣ２００の認証制御部２０４は、受信したアドレスと認証情報とを比較し、アクセス許可をする場合は、データ保持部２０３をアクセスする。この結果、該当するデータがデータ保持部２０３から接続制御部２０５に出力され、さらに制御部２０１、ネットワークインタフェース部２０２を介して、図５のネットワーク５０１に送信される。
【００３５】
これに伴い、通信端末装置１００は、ＰＣ２００が送信したデータを、ＷＬＡＮインタフェース部１０２あるいはＷ−ＣＤＭＡインタフェース部１０３で受信し、制御部１０１を介して、データ保持部１０８に記憶する。
【００３６】
通信端末装置１００の利用者は、データ保持部１０８に記憶したデータを適宜再生あるいは表示して利用する。
【００３７】
以上のように、本実施の形態によれば、通信端末装置１００の利用者は、認証制御されているデータ保持部２０３中のデータを、ＱＲコードを撮像するだけの簡単な操作で、取得することができる。この場合、ＱＲコードはＰＣ２００の大型な表示画面を利用して表示することができるので、利用者は確実にＱＲコードを選定することができ、誤操作することはない。
【００３８】
なお、本実施の形態においては、ＰＣ２００のデータ保持部２０３の一部に認証制御されるデータが記憶される構成を採ったが、認証制御されるデータは、ＰＣ２００とは別のサーバ装置に記憶する構成としてもよい。この場合には、サーバ装置を大型装置にして、大量のデータを記憶し、多数の利用者に対しサービスを提供する大型システムを容易かつ信頼性高く構築することができる。
【００３９】
また、本実施の形態においては、図３に示すように、ファイル名およびディレクトリ名を参考として利用者がＱＲコードを選定するものとしたが、これは、図６に示すようにしてもよい。すなわち、図６に示すＰＣ２００の表示画面では、ＱＲコードとファイル名との間に、アイコンを配置している。このアイコンは、Ｆ１自動車やパリのエッフェル塔など、利用者の趣味や関心事に訴求する内容としている。これによってファイル名を厳格に記憶していない利用者が、所望のデータへアクセスし易いようにしてもよい。従って、この場合は、図３や図６に示す表示画面を階層構造のものにして、利用者をより的確な所望データに誘導するようにしてもよい。
【００４０】
（実施の形態２）
図７は、本発明の実施の形態２に係るサービス提供システムの動作を示すフロー図である。本実施の形態で用いる通信端末装置やＰＣは、実施の形態１の場合と同様であるので、図１ないし５を流用して説明する。ただし、実施の形態１に係るシステムが図３、図６で示したファイル名などが複数回利用されることを忌避しないものであったのに対し、本実施の形態に係るサービス提供システムは、複数回利用を忌避するものである。
【００４１】
ＰＣ２００は、制御部２０１で過去に使用していないランダムなディレクトリ名を生成し（Ｓ７０１）、ディレクトリ名が過去に使用されたものでないことを確認し（Ｓ７０２：ＮＯ）、ディレクトリへアクセスするために使用する認証情報を生成する（Ｓ７０３）。次にＰＣ２００は、作成したディレクトリ名でデータ保持部２０３にディレクトリを生成し、生成されたディレクトリに公開するファイルをデータ保持部２０３の公開しない領域からコピーする（Ｓ７０４）。次に、ＱＲコード生成部２０６は、ディレクトリ名と認証情報からＱＲコードを生成する。これに応じて制御部２０１は、生成されたＱＲコードとディレクトリ名または公開するファイル名を、画像表示部２０７に表示される（Ｓ７０５）。次に制御部２０１は、生成されたディレクトリへの通信端末装置１００によるアクセスを監視し、通信端末装置１００がファイルのコピーなどのアクセスが完了したことを検出する（Ｓ７０６：ＹＥＳ）と、公開したディレクトリとコピーしたファイルを削除する（Ｓ７０７）。
【００４２】
本実施の形態では、データを収納するディレクトリを使用する度やユーザ毎に変更する。また、複数の利用者で共有するディレクトリを一時的にのみ生成し、そこにファイルを置いて公開する。該当するディレクトリがアクセスされ利用が終わると使用されたディレクトリは、削除され、２度と同じディレクトリ名は使用されない（Ｓ７０２：ＹＥＳ）。これにより、たとえ、ディレクトリ名が他者に知られたとしても、他のデータを交換する場合は、その名前のディレクトリは使用されないので安全性を高めることができる。
【００４３】
また、本実施の形態では、認証情報もディレクトリ名と連動して一度だけ使用するようにすることで、安全性を高めることができる。
【産業上の利用可能性】
【００４４】
本発明は、大型画面に表示されたバーコードなどから、データのアドレスと認証情報を取得することができるので、データ取得手段の簡便化の用途に有用である。
【図面の簡単な説明】
【００４５】
【図１】本発明の実施の形態１に係る通信端末装置の構成を示すブロック図
【図２】本発明の実施の形態１に係るＰＣの構成を示すブロック図
【図３】本発明の実施の形態１に係るＰＣの表示画面の一例を示す図
【図４】本発明の実施の形態１に係るＱＲコードを表示する仕組みを説明する図
【図５】本発明の実施の形態１に係るサービス提供システムの構成を示す模式図
【図６】本発明の実施の形態１に係るＰＣの表示画面の他の一例を示す図
【図７】本発明の実施の形態２に係るサービス提供システムの動作を示すフロー図
【符号の説明】
【００４６】
１００  通信端末装置
１０１  制御部
１０２  ＷＬＡＮインタフェース部
１０３  Ｗ−ＣＤＭＡインタフェース部
１０４  画像取り込み部
１０５  ＱＲコード認識部
１０６  認証制御部
１０７  接続制御部
１０８  データ保持部
２００  ＰＣ
【図１】
2007286913.tif 000003
【図２】
2007286913.tif 000004
【図３】
2007286913.tif 000005
【図４】
2007286913.tif 000006
【図５】
2007286913.tif 000007
【図６】
2007286913.tif 000008
【図７】
2007286913.tif 000009